(57)【要約】【課題】パラソルハンガーを上下に連結した場合、上下に配置されるハンガーアーム同士の距離が短いと長物の洗濯物同士が重なり合い乾燥時間が長くなる。本発明は、これらの課題を解決すべく発明されたものである。【解決手段】本発明に係る洗濯物干し具は、上端に吊下用フックを設けた中空の吊下棒と、当該吊下棒の下部において垂直方向から略水平方向にまで展開可能に軸支された複数本のハンガーアームを有し、前記吊下棒の下端に、他の洗濯物干し具の吊下用フックを掛けることができる環状またはフック状の係合部が設けられていることを特徴とする。また、前記吊下棒の内部には、当該吊下棒の下端から下方に引き出して所定の位置で固定することができる延長棒が設けられており、当該延長棒の下端に前記係合部が設けられていることを特徴とする。【選択図】図１
2011036509.tif 000002
【特許請求の範囲】
【請求項１】
上端に吊下用フックを設けた中空の吊下棒と、当該吊下棒の下部において垂直方向から略水平方向にまで展開可能に軸支された複数本のハンガーアームを有し、
下端に他の洗濯物干し具の吊下用フックを掛けることができる環状またはフック状の係合部が設けられていることを特徴とする洗濯物干し具。
【請求項２】
前記吊下棒の内部には、当該吊下棒の下端から下方に引き出して所定の位置で固定することができる延長棒が設けられており、
当該延長棒の下端に前記係合部が設けられていることを特徴とする請求項１記載の洗濯物干し具。
【請求項３】
前記ハンガーアームは、前記吊下棒を中心として放射状に展開することができるように軸支されていることを特徴とする請求項１又は２記載の洗濯物干し具。
【発明の詳細な説明】
【技術分野】
【０００１】
本発明は、洗濯物を吊す物干し具に関するものである。
【背景技術】
【０００２】
従来より、洗濯物の干し具として各種の形態のものがある。その一つとして、特許文献１に記載されているような、小物を干す際に用いるパラソルハンガーが知られている。当該パラソルハンガーは、上端にフックを設けた吊り下げ杆を中央に設け、当該吊り下げ杆の下端に複数本のハンガーアームを略水平方向に放射状に設けたものである。
また、当該パラソルハンガーは、ハンガーアームが取付部において回動するようになっており、ハンガーアームを吊り下げ杆に添うように折り畳むことで未使用時にかさ張らないようになっている。
【０００３】
上記パラソルハンガーは、小物を干す際に使用されることが多く、部屋の中で使用する場合も多い。しかし、洗濯物を多く干すためにパラソルハンガーを複数個使用したい場合、従来のパラソルハンガーは、横に並べる等して個別に吊り下げるしかなかった。
【先行技術文献】
【特許文献】
【０００４】
【特許文献１】特開２００８−１８１９４号公報
【発明の概要】
【発明が解決しようとする課題】
【０００５】
上記のように複数のパラソルハンガーを個別に吊り下げると、部屋の中が狭くなってしまう。この場合、２個のパラソルハンガーを上下に連結するほうが部屋の占有スペースを減らすことができる。
また、単に２個のパラソルハンガーを上下に連結しただけでは、上下に配置されるハンガーアーム同士の距離が短く、女性用ストッキング、タオル、その他の長物の洗濯小物を多数干すような場合には洗濯物同士に重なり合いが生じてしまい、乾燥時間が長くなる。本発明は、これらの課題を解決すべく発明されたものである。
【課題を解決するための手段】
【０００６】
上記課題を解決するために、本願発明に係る第1の手段は以下の構成を有する。すなわち、
上端に吊下用フックを設けた中空の吊下棒と、当該吊下棒の下部において垂直方向から略水平方向にまで展開可能に軸支された複数本のハンガーアームを有し、
下端に、他の洗濯物干し具の吊下用フックを掛けることができる環状またはフック状の係合部が設けられていることを特徴とする洗濯物干し具。
【０００７】
また、本願発明に係る第２の手段は以下の構成を有する。すなわち、
前記吊下棒の内部には、当該吊下棒の下端から下方に引き出して所定の位置で固定することができる延長棒が設けられており、
当該延長棒の下端に前記係合部が設けられていることを特徴とする上述の洗濯物干し具。
【０００８】
また、本願発明に係る第３の手段は以下の構成を有する。すなわち、
前記ハンガーアームは、前記吊下棒を中心として放射状に展開することができるように軸支されていることを特徴とする上述の洗濯物干し具。
【発明の効果】
【０００９】
上記洗濯物干し具は、上端に吊下用フックを設けた中空の吊下棒を有するとともに、当該吊下棒の下部において展開可能な複数本のハンガーアームを有しているので、靴下、下着類といった比較的軽量の洗濯物を多数干すことができるものである。そして、本発明に係る洗濯物干し具は、下端に他の洗濯物干し具を吊り下げることができる係合部が設けられているものである。したがって、洗濯物干し具の下に他のもう一つの洗濯物干し具を吊り下げることができるという効果を有している。このように洗濯物干し具を縦方向に連結できるということは、物干し場所として占有される床面積が減ることになるので、室内において多数の洗濯物を干す場合であっても占有される床面積が変わらないという効果を有しているものである。
また、本発明に係る洗濯物干し具は、他の洗濯物干し具を縦方向に連結する場合において、洗濯物干し具同士の間隔を長短若しくは任意の長さに調節することができるようになっている。そのため、女性用ストッキング、タオル、その他の長物の洗濯小物を干す場合には、例えば洗濯物干し具同士の距離を長くすることで、上の洗濯物干し具に吊り下げた長い洗濯物が下に干した洗濯物と干渉しないようにできるという効果を有している。
【図面の簡単な説明】
【００１０】
【図１】本発明に係る洗濯物干し具の外観斜視図である。
【図２】本発明に係る洗濯物干し具の側部断面図である。
【図３】本発明に係る洗濯物干し具の使用状態を表す側部断面図である。
【発明を実施するための形態】
【００１１】
以下、本発明の一実施の形態について説明する。
図１は、本実施の形態に係る洗濯物干し具（以下「物干し具」）１の外観斜視図を表している。また、図２は同物干し具１の断面図を表している。
物干し具１は、主な構成として上端に吊下用フック２を設けた中空の吊下棒３と、当該吊下棒３の下部において軸支される複数本のハンガーアーム４を有している。吊下用フック２は屋外に設置した物干し竿、屋内に設けた物干し用の紐、壁に取り付けた各種金具類に対して掛けられるように鉤（フック）状を成している。
吊下用フック２は、吊下棒３の上端に回動可能な状態で取り付けられている。吊下棒３は、角形あるいは丸型の中空の管として形成された棒状体であり、長さは大凡３０ｃｍ程度に形成されている。
【００１２】
吊下棒３の下端付近には保持部５が固定されている。当該保持部５は、洗濯小物を吊り下げる複数のハンガーアーム４を回動可能に軸支するとともに、当該ハンガーアーム４を水平方向に展開した状態で支持するように形成されたものである。
保持部５は、その中央に吊下棒３を貫通させた状態で固定するようになっており、固定した吊下棒３を中心として均等な間隔で放射状にハンガーアーム４を保持するようになっている。
ハンガーアーム４の取付部は各々回動軸となっており、ハンガーアーム４を立てた吊下棒３に沿う方向と、略９０°回動させた展開（略水平）方向との間でハンガーアーム４を可逆的に回動させることができるようになっている。
なお、本実施例は、ハンガーアームを吊下棒に対して放射状に設けた場合について説明しているが、ハンガーアームを平行に配置する等ハンガーアームを他の形態を成すように設けても差し支えがないものである。
【００１３】
前記吊下棒３の内部には、当該吊下棒３の内部空間を上下移動することができるように嵌挿された棒状体（延長棒）６が設けられている。当該延長棒６は、吊下棒３内に収容可能となる最大限の長さに形成されており、その上端付近には長手方向と直交する向き（側方）に突出した固定爪７が設けられている。当該固定爪７は、常態において側方に向かって突出しているが、当該側方から押圧されると素材の弾性を利用してへこむように形成された鋸歯状の突起であり、吊下棒３の側面に設けた開口（係止口）８、９、１０に対して係合するように形成されたものである。
また、延長棒６の下端には、環状体（輪）として形成された係合部１１が設けられている。当該係合部１１は、前述した吊下用フック２と同様の他の吊下用フックを係合させることができる程度に、輪の大きさが設定されている。なお、当該係合部１１は鉤（フック）状に形成しても差し支えない。
【００１４】
吊下棒３の側面には、前述した通り係止口８、９、１０が内外に連通するように設けられている。当該係止口は、最低限吊下棒３の上下両端付近のそれぞれに設けられていればよいが、任意の中間位置に複数個設けても差し支えない。
本実施の形態では、吊下棒３の上端付近に係止口８を設け、吊下棒３の下端付近に係止口９を設け、吊下棒３の中間付近に係止口１０を設けており、各係止口の位置において延長棒６の固定爪７を係脱可能に係止するようになっている。
【００１５】
延長棒６は、上端に設けた固定爪７を吊下棒３の上端付近の係止口８に係止させることにより、ほぼ全長が吊下棒３内に収容されるような長さに形成されている。また、この際、係止口８から固定爪７の先端が表出するようになっており、外部から固定爪７を押圧することで固定爪７と係止口８との係合を解除し、吊下棒３内で延長棒６を移動させることができるようになっている。
次いで、延長棒６の固定爪７を吊下棒３の下端付近の係止口９に係止させると、最大限に引き出した状態で吊下棒３を固定することができる。また、延長棒６の固定爪７を吊下棒３の中間付近の係止口１０に係止させると、吊下棒３を半分程度引き出した状態で固定することができる。
【００１６】
吊下棒３内に延長棒６を収容している時には、物干し具１の下端に係合部１１が設けられている状態となり、物干し具１の直下に他の物干し具を連結することができるようになっている。
そして、延長棒６を突出させた際には、図３に示すように上方の物干し具１ａと下方に取り付けた物干し具１ｂとの距離を長くすることができるようになっている。このようにすることで、物干し具を上下に連結して使用する場合において、上方の物干し具に干した洗濯物が長く下方の物干し具に干した洗濯物と重なり合ってしまう場合、延長棒６を延ばすことによって洗濯物同士の重なり合いを防ぐことができるようになっている。
【産業上の利用可能性】
【００１７】
本発明は、洗濯物を干すための物干し具に利用可能である。
【符号の説明】
【００１８】
１  物干し具
２  吊下用フック
３  吊下棒
４  ハンガーアーム
５  保持部
６  延長棒
７  固定爪
８、９、１０  係止口
１１  係合部
【図１】
2011036509.tif 000003
【図２】
2011036509.tif 000004
【図３】
2011036509.tif 000005